(57)【要約】【課題】夜間の作業や歩行等において、前方に対する広範且つ充分な照明の確保と、後方や横方に対して自分の存在を示すことでの安全の確保を目的とする帽子又はヘルメットの照明装置を提供する。【解決手段】前照灯であるＬＥＤランプ群３ａを取り付けた取り付け板７ａを帽子又はヘルメットのつば部２の部材内にはめ込むか、もしくは下側面に設け、尾灯であるＬＥＤランプ群３ｂを取り付けた取り付け板７ｂをキャップ部１の後部或いは横部に設ける。そして、取り付け板７ａには充電コンセント４及びＯＮスイッチ５とＯＦＦスイッチ６を設け、キャップ部１の外側もしくは内側には充電式バッテリー８及びこれを収納するバッテリーポケット９を設けたことを特徴とする。【選択図】  図１
2004346470.tif 000002
【特許請求の範囲】
【請求項１】
前照灯であるＬＥＤランプ群３ａを取り付けた取り付け板７ａを帽子又はヘルメットのつば部２に設け、尾灯であるＬＥＤランプ群３ｂを取り付けた板７ｂをキャップ部１に設けた帽子又はヘルメットの照明装置。
【請求項２】
取り付け板７ａに充電コンセント４及びＯＮスイッチ５とＯＦＦスイッチ６を設けた請求項１の帽子又はヘルメットの照明装置。
【請求項３】
キャップ部１の外側もしくは内側に、充電式バッテリー８及びこれを収納するバッテリーポケット９を設けた請求項１の帽子又はヘルメットの照明装置。
【発明の詳細な説明】
【０００１】
【発明の属する技術分野】
本発明は、夜間の作業や歩行等において、前方に対する広範且つ充分な照明の確保と、後方又は横方に対して自分の存在を知らしめることでの安全の確保を目的とすることを特徴とする帽子又はヘルメットの照明装置に関するものである。
【０００２】
【従来の技術】
従来には、前方に照明を照らす場合においては、小電球を組み込んだライトを帽子のつば先端に脱着可能に挟着したクリップにて取り付ける方法が使用されている。（例えば特許文献１参照）
また、後方に対する２輪自動車の制動を知らしめる手段として、２輪自動車のブレーキ操作の信号を受信したヘルメットの受光部により、ヘルメットに設けられたストップランプやターンシグナルランプを点灯や点滅をさせる方法が使用されている。（例えば特許文献２参照）
【０００３】
【特許文献１】
実用新案登録第３０５００８９号公報
【特許文献２】
特開平０９−０３０４６８号公報
【０００４】
【発明が解決しようとする課題】
上述した従来の技術においては、小電球を収納した照明装置を帽子やヘルメットのキャップ部又はつばの先端部に設けていたが、小電球では前方に対する広範且つ充分な照明が得られず、又、小電球自体もさることながら消費電力による乾電池の消耗も早く、それに照明装置が露出しているためとても外見的に良いとは言えない。
又、２輪自動車のブレーキ操作の信号を受信して点灯や点滅を行なう照明装置の場合、ブレーキ操作時以外の夜間における後方や横方に対する自分の存在を知らしめる手段が無く、それに自転車や徒歩において使用出来るものではない。その為、交通手段時は勿論の事、夜間においての消防士による消火作業や警察官による事故処理作業時などの際の照明の確保及び後方・横方に対する安全の確保の為の手段が取られているとは言い難い。
本発明は、これらの問題を解決するために発明されたものである。
【０００５】
【課題を解決するための手段】
上記課題を解決するため、本発明を後述の参照符号にて対応させると、前照灯であるＬＥＤランプ群３ａを取り付けた取り付け板７ａを帽子又はヘルメットのつば部２の部材内にはめ込むか、もしくは下側面に設け、尾灯であるＬＥＤランプ群３ｂを取り付けた取り付け板７ｂをキャップ部１の後部或いは横部に設ける。そして、取り付け板７ａには充電コンセント４及びＯＮスイッチ５とＯＦＦスイッチ６を設け、キャップ部１の外側もしくは内側には充電式バッテリー８及びこれを収納するバッテリーポケット９を設ける。
本発明は、以上の構成からなる帽子又はヘルメットの照明装置。
【０００６】
【発明の実施の形態】
以下、本発明の実施の形態について説明すると、図１は本発明の第１実施形態の斜視図で、前照灯であるＬＥＤランプ群３ａを取り付けた取り付け板７ａを帽子又はヘルメットのつば部２の部材内にはめ込むか、もしくは下側面に設け、尾灯であるＬＥＤランプ群３ｂを取り付けた取り付け板７ｂをキャップ部１の後部に設ける。そして、取り付け板７ａの下側面には充電コンセント４及びＯＮスイッチ５とＯＦＦスイッチ６を設け、キャップ部１の外側もしくは内側に充電式バッテリー８及びこれを収納するバッテリーポケット９を設ける。
【０００７】
本発明は上記のような構造で、これを使用する時は帽子又はヘルメットのつば部２の部材内にはめ込むか、もしくは下側面に設けた取り付け板７ａの下側面のＯＮスイッチ５を押すことで、充電式バッテリー８の電力が点灯制御部１１からの通電指示によって導出リード線１０を通じてＬＥＤランプ群３ａおよびＬＥＤランプ群３ｂに供給され、点灯又は点滅を行なう。又、ＬＥＤランプ群３ａ及び３ｂの点灯又は点滅を解除する場合においてはＯＦＦスイッチ６を押すことで電力の供給が解除され、このことにより点灯又は点滅を解除する。
【０００８】
また、充電式バッテリー８の蓄電量が減少した場合においては、つば部２に設けた取り付け板７ａの下側面の充電コンセント４より専用のアダプターを用いて充電する。
【０００９】
図４は本発明の第２実施形態の背面図で、ＬＥＤランプ群３ｂを取り付けた取り付け板７ｂを帽子又はヘルメットのキャップ部１の後部に、そして、ＬＥＤランプ群３ｃ及び３ｄを取り付けた取り付け板７ｃ及び７ｄをキャップ部１の横部にそれぞれ設ける。
【００１０】
第２実施形態は上記のような構造で、これを使用する時は第１実施形態の使用時同様、ＯＮスイッチ５を押すことで充電式バッテリー８の電力が点灯制御部１１の通電指示よりＬＥＤランプ群３ａ及びＬＥＤランプ群３ｂ・３ｃ・３ｄに供給され、点灯又は点滅を行なう。又、ＬＥＤランプ群３ａ及び３ｂ・３ｃ・３ｄの点灯又は点滅を解除する場合においてはＯＦＦスイッチ６を押すことで電力の供給が解除され、このことにより点灯又は点滅を解除する。
【００１１】
【発明の効果】
以上説明したように、本発明の帽子又はヘルメットの照明装置は、ＬＥＤのランプ群を取り付けた板をつば部の部材内にはめ込むか、もしくは下側面に設けるため外観上は殆ど気にならず、それに、つば部の先端部面に沿っての自在な向きのＬＥＤランプの設置により手元は勿論のこと左右前方と広範囲な照明を少電力にて実現出来る。又、キャップ部の後部や横部に赤色などのＬＥＤランプを設けることで後部や横部に対する自分の存在を示すことが出来る為、夜間における通行等は勿論の事、事故処理や消火作業或いは震災時の避難や救助等において、前照灯兼後部・横部からの存在や位置確認の目印として力を発揮するものである。
【図面の簡単な説明】
【図１】本発明による帽子又はヘルメットの照明装置の第１実施形態の斜視図である。
【図２】本発明による帽子又はヘルメットの照明装置の第１実施形態の正面図である。
【図３】本発明による帽子又はヘルメットの照明装置の第１実施形態の回路構成を示す図である。
【図４】本発明による帽子又はヘルメットの照明装置の第２実施形態の背面図である。
【図１】
2004346470.tif 000003
【図２】
2004346470.tif 000004
【図３】
2004346470.tif 000005
【図４】
2004346470.tif 000006